(57)【要約】【課題】光源ひいては出射部が汚れることを抑制できる画像形成装置を提供すること。【解決手段】プリンタ１に、光源９０を備える装置本体２と、装置本体２に着脱可能であるドラムカートリッジ１１とを備える。ドラムカートリッジ１１に、静電潜像を担持するように構成される表面を有する感光ドラム１４と、感光ドラム１４の表面を除電するための光を、光源９０から感光ドラム１４に導くライトガイド１８と、左右方向において間隔を空けて配置される１対のリブ３８とを備える。そして、ドラムカートリッジ１１が装置本体２に装着されているときに、光源９０を１対のリブ３８の間に配置する。【選択図】図８
2015194569.tif 000002
【特許請求の範囲】
【請求項１】
光源を備える装置本体と、
前記装置本体に着脱可能である感光体カートリッジとを備え、
前記感光体カートリッジは、
静電潜像を担持するように構成される表面を有する感光体と、
前記感光体の表面を除電するための光を、前記光源から前記感光体に導くように構成される導光部材と、
前記装置本体に対する前記感光体カートリッジの装着方向と交差する第１方向において、間隔を空けて配置される１対の壁部と、を備え、
前記光源は、前記感光体カートリッジが前記装置本体に装着されているときに、前記１対の壁部の間に配置されていることを特徴とする、画像形成装置。
【請求項２】
前記光源の少なくとも一部は、前記感光体カートリッジに対して、前記装着方向の下流に配置され、
前記１対の壁部は、前記感光体カートリッジにおける前記装着方向の下流部分に配置され、
前記光源の前記装着方向の上流側端部は、前記感光体カートリッジが前記装置本体に装着されているときに、前記１対の壁部の間に配置されていることを特徴とする、請求項１に記載の画像形成装置。
【請求項３】
前記導光部材は、前記光源からの光を受け入れるように構成される受光部を備え、
前記受光部は、前記１対の壁部の間に配置されていることを特徴とする、請求項１または２に記載の画像形成装置。
【請求項４】
前記光源は、
前記第１方向と交差する方向に光を出射するように構成される出射部と、
前記出射部を支持する支持部とを備え、
前記出射部は、前記１対の壁部の間に配置されることを特徴とする、請求項１〜３のいずれか一項に記載の画像形成装置。
【請求項５】
前記感光体カートリッジは、前記感光体を支持するカートリッジフレームを備え、
前記１対の壁部は、前記カートリッジフレームに一体に備えられていることを特徴とする、請求項１〜４のいずれか一項に記載の画像形成装置。
【請求項６】
前記カートリッジフレームは、
前記導光部材と前記光源との間に配置され、前記光源からの光を通過させるように構成される開口部を塞ぐように配置され、光を透過するように構成される透過部材とを備えていることを特徴とする、請求項５に記載の画像形成装置。
【請求項７】
光源を有する装置本体と、
前記装置本体に着脱可能である感光体カートリッジと、
前記装置本体および前記感光体カートリッジのそれぞれとは別体として構成される被覆部材とを備え、
前記光源は、
光を出射するように構成される出射部と、
前記出射部を支持する支持部とを備え、
前記感光体カートリッジは、
感光体と、
前記感光体の表面を除電するための光を、前記出射部から前記感光体に導くように構成される導光部材と、
前記感光体を支持するカートリッジフレームとを備え、
前記被覆部材は、
前記出射部の光の出射方向から見て、前記出射部を囲むように配置され、
前記支持部と前記感光体カートリッジとのそれぞれに接触して、前記支持部と前記感光体カートリッジとの間を塞ぐように構成されていることを特徴とする、画像形成装置。
【請求項８】
前記被覆部材は、前記出射部よりも、前記出射方向の下流に突出していることを特徴とする、請求項７に記載の画像形成装置。
【請求項９】
前記被覆部材は、前記光源に支持されていることを特徴とする、請求項７または８に記載の画像形成装置。
【請求項１０】
前記被覆部材は、前記感光体カートリッジに支持されていることを特徴とする、請求項７または８に記載の画像形成装置。
【請求項１１】
前記被覆部材は、弾性部材からなることを特徴とする、請求項９または１０に記載の画像形成装置。
【請求項１２】
前記光源は、前記装置本体に装着された状態の前記感光体カートリッジに対して、前記装置本体に対する前記感光体カートリッジの装着方向に並ぶように配置されていることを特徴とする、請求項７〜１１のいずれか一項に記載の画像形成装置。
【請求項１３】
前記出射部は、上方に向かって光を出射するように構成されていることを特徴とする、請求項７〜１２のいずれか一項に記載の画像形成装置。
【請求項１４】
前記カートリッジフレームは、
前記導光部材と前記出射部との間に配置され、光の通過を許容するように構成される開口部を塞ぐように配置され、光を透過するように構成される透過部材とを備えていることを特徴とする、請求項７〜１３のいずれか一項に記載の画像形成装置。
【発明の詳細な説明】
【技術分野】
【０００１】
本発明は、電子写真方式が採用される画像形成装置に関する。
【背景技術】
【０００２】
従来の電子写真方式の画像形成装置として、装置本体と、感光ドラムおよび帯電器を備え、装置本体に着脱可能なドラムユニットと、現像ローラを備え、ドラムユニットに着脱可能な現像カートリッジと、感光ドラムを露光する露光器とを備えるプリンタが知られている。
【０００３】
このようなプリンタでは、帯電器が感光ドラムの表面を帯電させた後、露光器が感光ドラムの表面の電荷を選択的に除去して、感光ドラムの表面に静電潜像を形成し、現像ローラが、感光ドラムの静電潜像にトナーを供給して、感光ドラムの表面にトナー像を形成する。そして、感光ドラムの表面のトナー像が、用紙に転写されることにより、用紙に画像が形成される。
【０００４】
しかるに、トナー像が用紙に転写された後において、感光ドラムの表面に残留する電荷は、次に感光ドラムの表面に形成される静電潜像に影響する場合があり、それに起因する画像形成不良が生じる場合がある。そこで、感光ドラムの表面から電荷を除去することが検討されている。
【０００５】
例えば、感光ドラムと向かい合うようにドラムユニットに支持され、左右方向に延びる棒状のライトガイドと、装置本体において、ライトガイドの右方に配置される光源とを備えるプリンタが提案されている（例えば、特許文献１参照）。
【０００６】
そのようなプリンタでは、光源からの光が、ライトガイドの右端面から入射された後、ライトガイドに導かれて、感光ドラムの表面を照射する。これによって、感光ドラムの表面から残留電荷が除去される。
【先行技術文献】
【特許文献】
【０００７】
【特許文献１】特開２０１１−２２７４２５号公報
【発明の概要】
【発明が解決しようとする課題】
【０００８】
しかるに、特許文献１に記載のプリンタの装置本体内では、画像形成動作において、紙粉やトナーが飛散する場合があり、そのような飛散するトナーや紙粉などにより、光源が汚れてしまう場合がある。
【０００９】
光源がトナーや紙粉などにより汚れると、光源からライトガイドに向かう光の進行が阻害され、感光ドラムを十分に除電できないという不具合がある。
【００１０】
そこで、本発明の目的は、光源ひいては出射部が汚れることを抑制できる画像形成装置を提供することにある。
【課題を解決するための手段】
【００１１】
（１）本発明の画像形成装置は、光源を備える装置本体と、装置本体に着脱可能である感光体カートリッジとを備えている。感光体カートリッジは、静電潜像を担持するように構成される表面を有する感光体と、感光体の表面を除電するための光を、光源から感光体に導くように構成される導光部材と、装置本体に対する感光体カートリッジの装着方向と交差する第１方向において、間隔を空けて配置される１対の壁部とを備えている。光源は、感光体カートリッジが装置本体に装着されているときに、１対の壁部の間に配置されている。
【００１２】
このような構成によれば、光源は、感光体カートリッジが装置本体に装着されているときに、１対の壁部の間に配置されているので、１対の壁部のそれぞれは、光源を第１方向の外方から覆っている。
【００１３】
そのため、装置本体内に現像剤や紙粉などが飛散しても、現像剤や紙粉などが第１方向の外方から光源に向かうことを抑制でき、光源が汚れることを低減できる。
【００１４】
また、１対の壁部のそれぞれが光源を第１方向の外方から覆っているので、光源からの光が、第１方向の外方に向かって進行することを抑制でき、光源からの光を導光部材に確実に導くことができる。
（２）光源の少なくとも一部は、感光体カートリッジに対して、装着方向の下流に配置されていてもよい。この場合、１対の壁部は、感光体カートリッジにおける装着方向の下流部分に配置され、光源の装着方向の上流側端部は、感光体カートリッジが装置本体に装着されているときに、１対の壁部の間に配置されている。
【００１５】
このような構成によれば、光源の少なくとも一部が、感光体カートリッジに対して、装着方向の下流に配置されており、１対の壁部が、感光体カートリッジにおける装着方向の下流部分に配置されているので、感光体カートリッジを装置本体に装着することにより、光源の装着方向の上流側端部を、１対の壁部の間に確実に配置することができる。そのため、光源が汚れることを確実に低減できる。
（３）導光部材は、光源からの光を受け入れるように構成される受光部を備えていてもよい。この場合、受光部は、１対の壁部の間に配置されている。
【００１６】
このような構成によれば、受光部が１対の壁部の間に配置されているので、感光体カートリッジが装置本体に装着され、光源が１対の壁部の間に配置されているときに、受光部と光源との相対的な位置精度の向上を図ることができる。そのため、光源からの光を、導光部材の受光部が確実に受け入れることができる。
（４）光源は、第１方向と交差する方向に光を出射するように構成される出射部と、出射部を支持する支持部とを備えていてもよい。この場合、出射部は、１対の壁部の間に配置される。
【００１７】
このような構成によれば、光を出射する出射部が１対の壁部の間に配置されているので、出射部が汚れることを確実に低減できながら、出射部から出射される光が、第１方向の外方に向かって進行することを抑制でき、出射部からの光を導光部材に確実に導くことができる。
（５）感光体カートリッジは、感光体を支持するカートリッジフレームを備えていてもよい。この場合、１対の壁部は、カートリッジフレームに一体に備えられている。
【００１８】
このような構成によれば、１対の壁部がカートリッジフレームに一体であるので、部品点数の低減を図ることができる。
（６）カートリッジフレームは、導光部材と光源との間に配置され、光源からの光を通過させるように構成される開口部を塞ぐように配置され、光を透過するように構成される透過部材とを備えていてもよい。
【００１９】
このような構成によれば、透過部材が、導光部材と光源との間に配置され、光源からの光を通過させる開口部を塞ぐように配置されているので、現像剤や紙粉などが、開口部を介して、カートリッジフレームから光源に向かって通過することを抑制できる。
【００２０】
一方、透過部材は光を透過するので、光源からの光は、開口部および透過部材を通過して、導光部材に到達する。
【００２１】
そのため、光源が汚れることをより一層確実に低減することができながら、光源からの光を導光部材に到達させることができる。
（７）本発明の画像形成装置は、光源を有する装置本体と、装置本体に着脱可能である感光体カートリッジと、装置本体および感光体カートリッジのそれぞれとは別体として構成される被覆部材とを備えていてもよい。光源は、光を出射するように構成される出射部と、出射部を支持する支持部とを備えている。感光体カートリッジは、感光体と、感光体の表面を除電するための光を、出射部から感光体に導くように構成される導光部材と、感光体を支持するカートリッジフレームとを備えている。被覆部材は、出射部の光の出射方向から見て、出射部を囲むように配置され、支持部と感光体カートリッジとのそれぞれに接触して、支持部と感光体カートリッジとの間を塞ぐように構成されている。
【００２２】
このような構成によれば、被覆部材が、出射部の光の出射方向から見て、出射部を囲むように配置され、かつ、支持部と感光体カートリッジとのそれぞれに接触して、支持部と感光体カートリッジとの間を塞いでいる。
【００２３】
つまり、光を出射する出射部は、被覆部材、支持部および感光体カートリッジにより、囲まれている。そのため、装置本体内に現像剤や紙粉などが飛散しても、現像剤や紙粉などが光源と接触することを抑制でき、光源が汚れることを低減できる。
【００２４】
また、被覆部材が出射部を囲っているので、出射部からの光が、被覆部材外に漏れることを抑制でき、出射部からの光を導光部材に確実に導くことができる。
（８）被覆部材は、出射部よりも、出射方向の下流に突出していてもよい。
【００２５】
このような構成によれば、被覆部材が、出射部よりも、出射方向の下流に突出しているので、被覆部材が、支持部と感光体カートリッジとのそれぞれに接触したときに、出射部を確実に囲むことができる。
（９）被覆部材は、光源に支持されていてもよい。
【００２６】
このような構成によれば、被覆部材が光源に支持されているので、被覆部材と光源の出射部との相対的な位置精度の向上を図ることができる。そのため、被覆部材は、出射部の光の出射方向から見て、光源を確実に囲むことができる。
（１０）被覆部材は、感光体カートリッジに支持されていてもよい。
【００２７】
このような構成によれば、被覆部材が感光体カートリッジに支持されているので、被覆部材と感光体カートリッジとの相対的な位置精度の向上を図ることができる。そのため、被覆部材は、感光体カートリッジと支持部との間を確実に塞ぐことができる。
（１１）被覆部材は、弾性部材からなってもよい。
【００２８】
このような構成によれば、被覆部材が弾性部材であるので、被覆部材は、支持部と感光体カートリッジとのそれぞれに接触したときに弾性変形する。そのため、支持部と感光体カートリッジとの間をより一層確実に塞ぐことができる。
（１２）光源は、装置本体に装着された状態の感光体カートリッジに対して、装置本体に対する感光体カートリッジの装着方向に並ぶように配置されていてもよい。
【００２９】
このような構成によれば、光源が、装置本体に装着された感光体カートリッジに対して、装着方向に並ぶように配置されているので、光源が、装置本体に装着された感光体カートリッジに対して、装着方向と交差する方向に並ぶように配置される場合と比較して、画像形成装置の装着方向と交差する方向における小型化を図ることができる。
（１３）出射部は、上方に向かって光を出射するように構成されていてもよい。
【００３０】
このような構成によれば、出射部が上方に向かって光を出射するので、装置本体内に現像剤や紙粉などが飛散すると、それら現像剤や紙粉などが、重力により、出射部上に堆積する場合がある。この場合、出射部から出射される光の進行が阻害されてしまう。
【００３１】
しかし、上記の構成によれば、被覆部材が、出射部の光の出射方向から見て、出射部を囲むように配置され、かつ、支持部と感光体カートリッジとの間を塞いでいるので、出射部が上方に向かって光を出射する場合であっても、出射部上に現像剤や紙粉などが堆積することを抑制できる。
（１４）カートリッジフレームは、導光部材と出射部との間に配置され、光の通過を許容するように構成される開口部を塞ぐように配置され、光を透過するように構成される透過部材とを備えていてもよい。
【００３２】
このような構成によれば、透過部材が、導光部材と出射部との間に配置され、光源からの光を通過させる開口部を塞ぐように配置されているので、現像剤や紙粉などが、開口部を介して、カートリッジフレームから出射部に向かうことを抑制できる。
【００３３】
一方、透過部材が光を透過するので、出射部からの光は、開口部および透過部材を通過して、導光部材に到達する。
【００３４】
そのため、出射部が汚れることをより一層確実に低減することができながら、光源からの光を導光部材に確実に到達させることができる。
【発明の効果】
【００３５】
本発明の画像形成装置では、光源ひいては出射部が汚れることを抑制できる。
【図面の簡単な説明】
【００３６】
【図１】図１は、本発明の画像形成装置の一実施形態としてのプリンタの中央断面図を示す。
【図２】図２は、図１に示すドラムカートリッジを右上方から見た斜視図である。
【図３】図３は、図２に示すドラムカートリッジの背面図である。
【図４】図４は、図３に示すドラムカートリッジの中央断面図である。
【図５】図５Ａは、図４に示すライトガイドの背面図である。図５Ｂは、図５Ａに示すライトガイドの断面図である。
【図６】図６は、図１に示す光源を左上方から見た斜視図である。
【図７】図７Ａは、図４に示すドラムカートリッジを右下方から見た斜視図である。図７Ｂは、図７Ａに示すドラムカートリッジおよび光源を右下方から見た斜視図である。
【図８】図８は、図３のＡ−Ａ断面に相当する断面図であって、図７Ｂに示すドラムカートリッジおよび光源の断面図である。
【図９】図９Ａは、本発明の第１の変形例に係るドラムカートリッジを後下方から見た斜視図である。図９Ｂは、本発明の第２の変形例に係る光源を前上方から見た斜視図である。
【発明を実施するための形態】
【００３７】
１．プリンタの概略
画像形成装置の一例としてのプリンタ１は、電子写真方式のモノクロプリンタである。プリンタ１は、装置本体２と、プロセスカートリッジ３と、スキャナユニット４と、定着ユニット５とを備えている。
【００３８】
装置本体２は、略ボックス形状を有している。装置本体２は、本体開口６と、フロントカバー７と、給紙トレイ８と、排紙トレイ９とを有している。
【００３９】
本体開口６は、装置本体２の一端部に配置されている。本体開口６は、プロセスカートリッジ３の通過を許容するように、装置本体２の内外を連通している。
【００４０】
フロントカバー７は、装置本体２の一端部に配置されている。フロントカバー７は、略平板形状を有している。フロントカバー７は、上下方向に延び、その下端部を支点として装置本体２の一端部に揺動可能に支持されている。フロントカバー７は、本体開口６を開閉可能である。
【００４１】
なお、以下の説明では、フロントカバー７が配置される方を、プリンタ１の前方とし、その反対を、プリンタ１の後方とする。また、プリンタ１を前方から見たときを基準として左右を規定する。具体的には、各図に示す方向矢印を基準とする。
【００４２】
さらに、後述するドラムカートリッジ１１に関しても、装置本体２に対する装着状態を基準として前後左右上下を規定する。
【００４３】
また、左右方向が第１方向の一例であり、右方が、軸線方向の一方の一例であり、左方が、軸線方向の他方の一例である。
【００４４】
給紙トレイ８は、装置本体２の底部に配置されている。給紙トレイ８は、上方に向かって開放される略ボックス形状を有しており、用紙Ｐを収容可能である。
【００４５】
排紙トレイ９は、装置本体２の上面の前後方向略中央に配置されている。排紙トレイ９は、用紙Ｐが載置されるように、装置本体２の上面から下方へ凹んでいる。
【００４６】
プロセスカートリッジ３は、本体開口６を介して装置本体２に対して着脱可能であり、装置本体２に装着された状態において、装置本体２の側面視略中央に配置されている。プロセスカートリッジ３は、感光体カートリッジの一例としてのドラムカートリッジ１１と、現像カートリッジ１２とを備えている。つまり、ドラムカートリッジ１１は、プロセスカートリッジ３が装置本体２に着脱可能であることから、装置本体２に対して着脱可能である。
【００４７】
ドラムカートリッジ１１は、感光体の一例としての感光ドラム１４と、転写ローラ１５と、スコロトロン型帯電器１６とを備えている。
【００４８】
感光ドラム１４は、左右方向に延びる略円筒形状を有しており、ドラムカートリッジ１１の後端部に回転可能に支持されている。転写ローラ１５は、左右方向に延びる略円柱形状を有しており、感光ドラム１４の下方に配置されている。転写ローラ１５の上端部は、感光ドラム１４の下端部と接触している。スコロトロン型帯電器１６は、感光ドラム１４に対して、上方に間隔を空けて配置されている。
【００４９】
現像カートリッジ１２は、ドラムカートリッジ１１に着脱可能であって、ドラムカートリッジ１１に装着された状態において、感光ドラム１４の前方に配置される。現像カートリッジ１２は、現像ローラ１９と、供給ローラ２０と、層厚規制ブレード２１と、トナー収容部２２とを備えている。
【００５０】
現像ローラ１９は、現像カートリッジ１２の後端部に回転可能に支持されている。現像ローラ１９は、左右方向に延びる略円柱形状を有している。現像ローラ１９の後端部は、感光ドラム１４の前端部に接触している。
【００５１】
供給ローラ２０は、現像ローラ１９の前下方に配置されている。供給ローラ２０は、左右方向に延びる略円柱形状を有し、現像カートリッジ１２に回転可能に支持されている。供給ローラ２０の後上端部は、現像ローラ１９の前下端部に接触している。
【００５２】
層厚規制ブレード２１は、現像ローラ１９の前上方に配置されている。層厚規制ブレード２１は、現像ローラ１９の前端部に接触している。
【００５３】
トナー収容部２２は、供給ローラ２０および層厚規制ブレード２１の前方に配置されている。トナー収容部２２は、トナーを収容するように構成されている。
【００５４】
スキャナユニット４は、プロセスカートリッジ３の上方に配置されている。スキャナユニット４は、感光ドラム１４に向けて画像データに基づくレーザービームを出射するように構成されている。
【００５５】
定着ユニット５は、プロセスカートリッジ３の後方に配置されている。定着ユニット５は、加熱ローラ２６と、加圧ローラ２７とを備えている。加圧ローラ２７は、加熱ローラ２６の下方に配置され、加圧ローラ２７の上端部は、加熱ローラ２６の下端部に圧接されている。
【００５６】
プリンタ１は、図示しない制御部の制御により、画像形成動作を開始する。プリンタ１が画像形成動作を開始すると、スコロトロン型帯電器１６は、感光ドラム１４の表面を一様に帯電する。スキャナユニット４は、感光ドラム１４の表面を露光する。これにより、画像データに基づく静電潜像が、感光ドラム１４の表面に形成され、担持される。
【００５７】
供給ローラ２０は、トナー収容部２２内のトナーを現像ローラ１９に供給する。このとき、トナーは、現像ローラ１９と供給ローラ２０との間で正極性に摩擦帯電され、現像ローラ１９に担持される。層厚規制ブレード２１は、現像ローラ１９に担持されたトナーの層厚を一定厚さに規制する。
【００５８】
そして、現像ローラ１９に担持されたトナーは、感光ドラム１４表面の静電潜像に供給される。これにより、トナー像が、感光ドラム１４の表面に担持される。
【００５９】
用紙Ｐは、給紙トレイ８から、各種ローラの回転により、所定のタイミングで１枚ずつ、後述する供給口４４を通過した後、感光ドラム１４と転写ローラ１５との間に給紙される。
【００６０】
感光ドラム１４表面のトナー像は、用紙Ｐが感光ドラム１４と転写ローラ１５との間を通過するときに、用紙Ｐに転写される。
【００６１】
次いで、用紙Ｐは、後述する排出口４５を通過した後、後述する搬送ガイド部８９にガイドされて、加熱ローラ２６と加圧ローラ２７との間に到達する。そして、用紙Ｐは、加熱ローラ２６と加圧ローラ２７との間を通過するときに加熱および加圧される。これにより、用紙Ｐ上のトナー像は、用紙Ｐに熱定着される。その後、用紙Ｐは、排紙トレイ９に排紙される。
【００６２】
３．ドラムカートリッジの詳細
ドラムカートリッジ１１は、図２、図４および図８に示すように、上記の感光ドラム１４、転写ローラ１５およびスコロトロン型帯電器１６に加え、カートリッジフレームの一例としてのドラムフレーム１３と、クリーニングユニット５０と、導光部材の一例としてのライトガイド１８と、透過部材の一例としてのフィルム部材４９とを備えている。
（１）ドラムフレーム
ドラムフレーム１３は、図２に示すように、平面視略矩形の有底枠形状を有しており、図４および図３に示すように、１対のドラム側壁３０と、ドラム前壁３１と、ドラム底壁３２と、帯電収容部３４と、クリーナー収容部３５と、１対の壁部の一例としての１対のリブ３８と、転写収容部３３と、１対の連結部４０を備えている。
【００６３】
１対のドラム側壁３０は、図２に示すように、ドラムフレーム１３の左右両端部であって、左右方向に互いに間隔を空けて向かい合っている。１対のドラム側壁３０のそれぞれは、前後方向に延びる側面視略矩形の板状を有している。
【００６４】
ドラム前壁３１は、ドラムフレーム１３の前端部であって、１対のドラム側壁３０の前端部間に架設されている。ドラム底壁３２は、図４に示すように、ドラムフレーム１３の下端部であって、１対のドラム側壁３０の前方部分の下端部間に架設されている。ドラム底壁３２の前端部は、ドラム前壁３１の下端部に接続されている。
【００６５】
帯電収容部３４は、ドラム前壁３１に対して後方に間隔を空けて配置され、かつ、ドラム底壁３２に対して後上方に間隔を空けて配置されている。帯電収容部３４は、下方に向かって開放される側面視略Ｕ字状を有しており、左右方向に延びている。帯電収容部３４の左右両端部は、１対のドラム側壁３０の後方部分の上端部に接続されている。
【００６６】
クリーナー収容部３５は、ドラムフレーム１３の後端部であって、帯電収容部３４の後下方に隣接配置されている。クリーナー収容部３５は、前方に向かって開放される側面視略Ｕ字状を有しており、左右方向に延びている。クリーナー収容部３５の左右両端部は、１対のドラム側壁３０の後端部に接続されている。
【００６７】
また、クリーナー収容部３５は、図３および図４に示すように、収容部底壁３６を有している。収容部底壁３６は、クリーナー収容部３５の下端部であって、左右方向に延びる略板状を有している。詳しくは、収容部底壁３６は、平板部３６Ａと、傾斜部３６Ｂとを一体に有している。
【００６８】
平板部３６Ａは、収容部底壁３６における右端部以外の部分であって、前後方向に沿って延びている。
【００６９】
傾斜部３６Ｂは、収容部底壁３６における右端部であって、図８に示すように、前下方および後上方を結ぶ方向に延びている。
【００７０】
また、傾斜部３６Ｂは、開口部３７を有している。
【００７１】
開口部３７は、図３および図８に示すように、傾斜部３６Ｂの略中央に配置されている。開口部３７は、後下方から見て略矩形状を有しており、傾斜部３６Ｂを前上方および後下方を結ぶ方向に貫通している。
【００７２】
１対のリブ３８は、図３に示すように、ドラムフレーム１３の後下端部における右端部に配置されている。つまり、１対のリブ３８は、図８に示すように、詳しくは後述するが、ドラムカートリッジ１１における装着方向Ｙの下流部分に配置されている。
【００７３】
また、１対のリブ３８は、図３に示すように、開口部３７を挟むように、左右方向に互いに間隔を空けて配置されている。１対のリブ３８のそれぞれは、図７Ｂに示すように、側面視略矩形の板状を有している。１対のリブ３８のうち、右方のリブ３８は、右方のドラム側壁３０と一体であって、右方のドラム側壁３０の後下端部から連続して、後下方に向かって突出している。また、１対のリブ３８のうち、左方のリブ３８は、右方のリブ３８に対して、左方に間隔を空けて配置されている。左方のリブ３８は、傾斜部３６Ｂと一体であって、傾斜部３６Ｂの下面における左端部から、後下方に向かって突出している。
【００７４】
転写収容部３３は、図４に示すように、クリーナー収容部３５に対して前下方に間隔を空けて配置され、かつ、ドラム底壁３２に対して後方に間隔を空けて配置されている。転写収容部３３は、左右方向に延びており、転写収容部３３の左右両端部は、１対のドラム側壁３０の後方部分の後下端部に接続されている。転写収容部３３は、収容部本体３３Ａと、リップ部３３Ｂとを有している。
【００７５】
収容部本体３３Ａは、上方に向かって開放される側面視略Ｕ字状を有しており、左右方向に延びている。
【００７６】
リップ部３３Ｂは、収容部本体３３Ａの前壁の上端部から連続して、前方に向かうにつれて、下方に傾斜している。リップ部３３Ｂの前端部は、ドラム底壁３２の後端部に対して、後下方に配置されている。そして、リップ部３３Ｂの前端部とドラム底壁３２の後端部との間の領域が、供給口４４として画定されている。供給口４４は、用紙Ｐの通過を許容する形状およびサイズを有している。
【００７７】
１対の連結部４０は、図３、図７Ａおよび図８に示すように、転写収容部３３の左右両端部と、収容部底壁３６の左右両端部とを連結しており、左右方向に互いに間隔を空けて配置されている。詳しくは、１対の連結部４０のうち、左方の連結部４０は、図３に示すように、収容部本体３３Ａの後端縁における左端部と、平板部３６Ａの前端縁における左端部とを連結している。また、１対の連結部４０のうち、右方の連結部４０は、図８に示すように、収容部本体３３Ａの後端縁における右端部と、傾斜部３６Ｂの前端部とを連結している。
【００７８】
そして、１対の連結部４０の左右方向内方端縁と、収容部本体３３Ａの後端縁と、平板部３６Ａの前端縁との間の領域が、図３に示すように、排出口４５として区画されている。つまり、１対のリブ３８は、排出口４５よりも左右方向の外方に配置されている。排出口４５は、用紙Ｐの通過を許容する形状およびサイズを有している。
（２）感光ドラム、転写ローラおよびスコロトロン型帯電器
また、ドラムフレーム１３は、図４に示すように、１対のドラム側壁３０の間において、感光ドラム１４、転写ローラ１５、スコロトロン型帯電器１６およびクリーニングユニット５０を支持している。
【００７９】
感光ドラム１４は、クリーナー収容部３５の前方において、転写収容部３３と帯電収容部３４との間に配置されている。感光ドラム１４は、左右方向に延びる略円筒状の金属からなる素管と、素管の周面を被覆する感光層とを有している。
【００８０】
転写ローラ１５は、収容部本体３３Ａ内に収容されている。転写ローラ１５は、その左右両端部が１対のドラム側壁３０に回転可能に支持されることによって、ドラムフレーム１３に支持されている。
【００８１】
スコロトロン型帯電器１６は、帯電収容部３４内において、帯電収容部３４に支持されている。
（３）クリーニングユニット
クリーニングユニット５０は、クリーナー収容部３５内に収容されており、感光ドラム１４の後方に配置されている。
【００８２】
クリーニングユニット５０は、クリーニングフレーム５１と、クリーニングローラ１７と、回収ローラ５２と、スポンジスクレーパ５４とを備えている。
【００８３】
クリーニングフレーム５１は、不透明であり、かつ、光を反射する色を有する樹脂、具体的には、白色樹脂からなる。クリーニングフレーム５１は、フレーム本体５５と、ライトガイド支持部５６とを一体に有している。
【００８４】
フレーム本体５５は、前方に向かって開放される略ボックス形状を有している。
【００８５】
ライトガイド支持部５６は、フレーム本体５５の底壁５５Ａに対して前方に隣接配置されている。ライトガイド支持部５６は、側面視において、感光ドラム１４に向かって開放される略Ｕ字状を有している。そして、ライトガイド支持部５６の後壁における上下方向の略中央部分は、フレーム本体５５の底壁５５Ａの前端部に接続されている。なお、図示しないが、ライトガイド支持部５６の左端部は閉鎖されており、ライトガイド支持部５６の右端部は開放されている。
【００８６】
クリーニングローラ１７は、感光ドラム１４の周面に付着する付着物を除去するように構成され、ライトガイド支持部５６の上方において、その後方部分がフレーム本体５５内に臨み、その前方部分がフレーム本体５５から露出するように配置されている。これによって、クリーニングローラ１７は、感光ドラム１４の後方に配置されている。
【００８７】
クリーニングローラ１７は、左右方向に延びる略円柱形状を有している。そして、クリーニングローラ１７は、その左右両端部が、フレーム本体５５の左右両側壁に回転可能に支持されることによって、クリーニングフレーム５１に支持されている。クリーニングローラ１７の前下端部は、感光ドラム１４の後上端部に接触している。
【００８８】
回収ローラ５２は、フレーム本体５５内において、クリーニングローラ１７の後上方に配置されている。回収ローラ５２は、左右方向に延びる略円柱形状を有している。そして、回収ローラ５２は、その左右両端部が、フレーム本体５５の左右両側壁に回転可能に支持されることによって、クリーニングフレーム５１に支持されている。回収ローラ５２の前下端部は、クリーニングローラ１７の後上端部と接触している。
【００８９】
スポンジスクレーパ５４は、フレーム本体５５内において、フレーム本体５５の上壁と回収ローラ５２との間に挟まれている。そして、スポンジスクレーパ５４は、フレーム本体５５の上壁の下面に固定されており、スポンジスクレーパ５４の下面は、回収ローラ５２の上方部分と接触している。
【００９０】
このようなクリーニングユニット５０は、上記の画像形成動作において、後述する除電動作の後、感光ドラム１４上に付着している紙粉などの付着物を除去するとともに回収する。そこで、クリーニングユニット５０のクリーニング動作について説明する。
【００９１】
クリーニングユニット５０のクリーニング動作では、クリーニングローラ１７は、装置本体２が備える図示しない本体電極からバイアスが印加され、感光ドラム１４の表面電位よりも高い正極性に帯電される。また、回収ローラ５２は、図示しない本体電極からバイアスが印加され、クリーニングローラ１７よりも高い正極性に帯電される。
【００９２】
そして、クリーニングローラ１７は、感光ドラム１４上に付着している紙粉を、感光ドラム１４から回収する。その後、回収ローラ５２は、クリーニングローラ１７に回収された紙粉を、クリーニングローラ１７から回収する。次いで、スポンジスクレーパ５４が、回収ローラ５２上の紙粉を掻き落とす。これによって、紙粉が、フレーム本体５５内に貯留される。
（４）ライトガイド
ライトガイド１８は、感光ドラム１４を除電するための光を、後述する光源９０から感光ドラム１４の表面に導くように構成されている。ライトガイド１８は、ライトガイド支持部５６に支持されている。
【００９３】
ライトガイド１８は、例えば、無色透明のアクリル樹脂からなる。ライトガイド１８は、図５Ｂに示すように、略Ｌ字の棒状を有しており、受光部の一例としての第１部分７０と、第２部分７１と、光路変換面７２とを有している。
【００９４】
第１部分７０は、ライトガイド１８の右端部であって、図８に示すように、前上方および後下方を結ぶ方向に延びる略円柱形状を有している。また、第１部分７０は、入射面７０Ａを有している。
【００９５】
入射面７０Ａは、第１部分７０の後下方の端面であって、図５Ｂに示すように、前上方および後下方を結ぶ方向と直交する平坦面である。
【００９６】
第２部分７１は、左右方向に延びる略棒状を有している。第２部分７１の左右方向の寸法は、ライトガイド支持部５６の左右方向の寸法よりも大きく、第２部分７１の上下方向の寸法は、ライトガイド支持部５６の上下方向の内寸と略同じである。また、第２部分７１の右端部は、第１部分７０の入射面７０Ａと反対の端部である前上端部に接続されている。
【００９７】
第２部分７１は、図４に示すように、側面視略矩形状を有しており、具体的には、円弧面７５と、上面７６と、下面７７と、背面７８とを有している。
【００９８】
円弧面７５は、第２部分７１の前面であって、前方に向かって膨出する側面視略半円弧形状の曲面である。上面７６は、第２部分７１の上面であって、円弧面７５の上端部から連続して、後方に向かって延びる平坦面である。下面７７は、第２部分７１の下面であって、円弧面７５の下端部から連続して、後方に向かって延びる平坦面である。
【００９９】
背面７８は、第２部分７１の後面であって、上面７６および下面７７の後端部間を上下方向に沿って連結する平坦面である。背面７８は、図５Ａに示すように、粗面部７９を有している。
【０１００】
粗面部７９は、背面７８の上下方向略中央部分に配置されている。粗面部７９は、背面７８から前方に向かって窪んでおり、その窪んだ部分に微小な凹凸を有する粗面（梨地面）として構成されている。このような粗面部７９は、例えば、シボ加工（エッチング加工）などにより形成される。なお、図５Ａでは、粗面部７９を、周囲の背面７８から区別するため、粗面部７９にハッチングが付されている。
【０１０１】
また、粗面部７９は、左右方向に延びており、その左右方向の寸法は、背面７８の左右方向の寸法に対して、例えば、略９／１０である。粗面部７９は、詳しくは、最小幅部分８３と、漸増部分８４と、最大幅部分８５と、漸減部分８６とを有している。
【０１０２】
最小幅部分８３は、粗面部７９の右方部分であって、粗面部７９の右端縁から左方に向かって、粗面部７９の左右方向の略中央部分まで延びている。つまり、最小幅部分８３の左右方向の寸法は、粗面部７９の左右方向の寸法に対して、略１／２である。最小幅部分８３の上下方向の寸法は、背面７８の上下方向の寸法に対して、例えば、略１／３であり、最小幅部分８３の左右方向の全体にわたって一定である。なお、最小幅部分８３の右端縁、つまり粗面部７９の右端縁は、第２部分７１の右端部よりも左方に間隔を空けて配置されている。
【０１０３】
漸増部分８４は、最小幅部分８３の左端部から連続して左方に向かって延びており、左方に向かうにつれて上下方向の寸法が大きくなるように広がっている。漸増部分８４の左右方向の寸法は、背面７８の左右方向の寸法に対して、略１／７である。
【０１０４】
最大幅部分８５は、漸増部分８４の左端部から連続して、左方に向かって延びている。最大幅部分８５の左右方向の寸法は、背面７８の左右方向の寸法に対して、略１／４である。最大幅部分８５の上下方向の寸法は、背面７８の上下方向の寸法に対して、例えば、略９／１０であり、最大幅部分８５の左右方向の全体にわたって一定である。
【０１０５】
漸減部分８６は、粗面部７９の左端部であって、最大幅部分８５の左端部から連続して、左方に向かって延びている。漸減部分８６は、左方に向かうにつれて、上下方向の寸法が小さくなるように狭まっている。漸減部分８６の左右方向の寸法は、粗面部７９の左右方向の寸法に対して、略１／１０である。なお、漸減部分８６の左端縁、つまり粗面部７９の左端縁は、第２部分７１の左端面よりも右方に間隔を空けて配置されている。
【０１０６】
光路変換面７２は、図５Ｂに示すように、第１部分７０と第２部分７１との接続部分に配置されている。光路変換面７２は、第１部分７０と第２部分７１との接続部分における右端部が、左右方向に対して、略４５°傾斜するように切り欠かれている。つまり、光路変換面７２は、左右方向に対して略４５°傾斜する傾斜面である。
【０１０７】
光路変換面７２は、前上方および後下方を結ぶ方向から見て第１部分７０と一致するように配置され、左右方向から見て第２部分７１と一致するように配置されている。
【０１０８】
そして、ライトガイド１８は、図４に示すように、第２部分７１がライトガイド支持部５６に収容されることにより、クリーニングローラ１７の下方において、クリーニングフレーム５１に支持されている。
【０１０９】
これによって、第２部分７１は、感光ドラム１４の後方に間隔を空けて向かい合っており、第２部分７１の円弧面７５は、感光ドラム１４に向かって突出している。
【０１１０】
また、第１部分７０および光路変換面７２は、図８に示すように、ライトガイド支持部５６の右端部よりも右方に位置している。そして、第１部分７０および光路変換面７２は、クリーナー収容部３５内において、収容部底壁３６の傾斜部３６Ｂの前上方に間隔を空けて配置されている。そして、第１部分７０の入射面７０Ａは、傾斜部３６Ｂの開口部３７と、前上方および後下方を結ぶ方向に向かい合っている。そのため、入射面７０Ａは、後下方から見て、１対のリブ３８の間に配置されている。
（５）フィルム部材
フィルム部材４９は、傾斜部３６Ｂの上面に配置されている。フィルム部材４９は、光を透過するように構成されており、例えば、透明な樹脂フィルムからなる。フィルム部材４９は、開口部３７を塞ぐように配置されており、傾斜部３６Ｂに固定されている。
【０１１１】
４．装置本体の詳細
装置本体２は、図１および図６に示すように、搬送ガイド部８９と、光源９０とを備えている。
【０１１２】
搬送ガイド部８９は、装置本体２内において、加圧ローラ２７に対して前方に配置されている。搬送ガイド部８９は、左右方向に延びる板状を有しており、その前後方向の略中央部分が下方に向かって湾曲している。
【０１１３】
光源９０は、図６に示すように、装置本体２内において、搬送ガイド部８９に対して、右方に配置されている。光源９０は、支持部の一例としての支持フレーム９１と、出射部の一例としての発光ユニット９２と、被覆部材８８とを備えている。
【０１１４】
支持フレーム９１は、台座部９３と、挿入部９４とを備えている。
【０１１５】
台座部９３は、支持フレーム９１の後下方部分であって、左右方向に延びる略三角柱形状を有している。詳しくは、台座部９３の下面は、前後方向に沿って延び、台座部９３の前上面は、台座部９３の下面の前端部から屈曲して、後上方に向かって延び、台座部９３の後上面は、台座部９３の前上面の上端部から屈曲して、後下方に向かって延び、台座部９３の下面の後端部に接続されている。
【０１１６】
また、台座部９３の左右方向の寸法は、１対のリブ３８の左右方向の間の間隔よりも大きい。
【０１１７】
挿入部９４は、支持フレーム９１の前上方部分であって、台座部９３の前上面に配置されている。挿入部９４は、後下方に向かって開放される略ボックス形状を有しており、側面視において、前下方および後上方を結ぶ方向に延びる略矩形状を有している。挿入部９４の左右方向の寸法は、台座部９３の左右方向の寸法よりも小さい。
【０１１８】
挿入部９４は、支持壁９４Ａを有している。支持壁９４Ａは、挿入部９４の前上端部であって、前下方および後上方を結ぶ方向に延びる略板状を有している。また、支持壁９４Ａは、挿通穴９５を有している。
【０１１９】
挿通穴９５は、図８に示すように、前上方から見て略円形状を有しており、支持壁９４Ａを前上方および後下方を結ぶ方向に貫通している。
【０１２０】
発光ユニット９２は、挿入部９４内に収容されており、基板部９６と、筒部９７と、発光部９８と、レンズ部９９とを備えている。
【０１２１】
基板部９６は、前下方および後上方を結ぶ方向に延びる略板状を有しており、図示しない本体基板と電気的に接続されている。筒部９７は、前上方および後下方を結ぶ方向に延びる略円筒形状を有しており、基板部９６の前上面に配置されている。
【０１２２】
発光部９８は、筒部９７内において、基板部９６に固定されており、例えば、ＬＥＤを備えるＬＥＤライトである。発光部９８は、基板部９６と電気的に接続されており、後下方から前上方に向かう方向である出射方向Ｘに、光を出射するように構成されている。つまり、発光部９８は、左右方向と交差する方向に光を出射するように構成されている。
【０１２３】
レンズ部９９は、筒部９７内において発光部９８の前上方に配置されており、筒部９７の前上端部における内周面に支持されている。レンズ部９９は、例えば、前上方に向かって膨出する凸レンズである。
【０１２４】
そして、発光ユニット９２は、筒部９７の前上端部が挿通穴９５に挿入されるように、挿入部９４内に収容されている。つまり、挿入部９４および発光ユニット９２は、台座部９３に対して、後述する装着方向Ｙの上流に配置されている。なお、筒部９７の前上端部は、図６に示すように、支持壁９４Ａよりも僅かに出射方向Ｘの下流に突出している。
【０１２５】
被覆部材８８は、支持壁９４Ａの前上方面に配置されている。被覆部材８８は、例えば、スポンジなどの弾性部材からなり、装置本体２およびドラムカートリッジ１１のそれぞれとは別体として構成されている。被覆部材８８は、前上方および後下方を結ぶ方向に延びる略円筒形状を有している。被覆部材８８の内径は、筒部９７の外径よりも大きい。
【０１２６】
そして、被覆部材８８は、出射方向Ｘの下流から見て筒部９７を囲むように配置されており、被覆部材８８の内周面と、筒部９７の前上端部における外周面とは、被覆部材８８の径方向に間隔を空けている。また、被覆部材８８は、筒部９７の前上端部よりも出射方向Ｘの下流に突出している。
【０１２７】
なお、被覆部材８８は、公知の両面テープなどで支持壁９４Ａに貼着されている。つまり、被覆部材８８は、光源９０に支持されている。
【０１２８】
５．ドラムカートリッジの装置本体に対する着脱動作
次に、ドラムカートリッジ１１の装置本体２に対する離脱動作および装着動作について説明する。
【０１２９】
ドラムカートリッジ１１を装置本体２に装着するには、図１に示すように、まず、ユーザは、ドラムカートリッジ１１に現像カートリッジ１２を装着して、プロセスカートリッジ３を構成する。
【０１３０】
そして、プロセスカートリッジ３を、本体開口６を介して、前方から後方に向かう装着方向Ｙに沿って、装置本体２に挿入する。
【０１３１】
このとき、１対のリブ３８は、図７Ａおよび図７Ｂに示すように、それらの間に光源９０の挿入部９４を受け入れる。
【０１３２】
これによって、収容部底壁３６の傾斜部３６Ｂは、図８に示すように、挿入部９４の支持壁９４Ａに対して、出射方向Ｘに間隔を空けて向かい合い、傾斜部３６Ｂの開口部３７は、発光ユニット９２のレンズ部９９と、出射方向Ｘから見て重なるように配置される。
【０１３３】
そのため、第１部分７０の入射面７０Ａは、開口部３７およびレンズ部９９を挟んで、発光部９８に対して出射方向Ｘの下流に間隔を空けて向かい合っている。つまり、開口部３７は、第１部分７０と発光部９８との間に配置される。
【０１３４】
このとき、被覆部材８８は、傾斜部３６Ｂと支持壁９４Ａとの間に挟まれており、弾性変形されている。つまり、被覆部材８８は、傾斜部３６Ｂおよび支持壁９４Ａのそれぞれに接触して、傾斜部３６Ｂと支持壁９４Ａとの間の隙間を塞いでいる。
【０１３５】
以上によって、プロセスカートリッジ３の装置本体２に対する装着動作、つまり、ドラムカートリッジ１１の装置本体２に対する装着動作が完了する。
【０１３６】
ドラムカートリッジ１１が装置本体２に装着された状態において、光源９０は、ドラムカートリッジ１１の傾斜部３６Ｂおよび１対のリブ３８に対して後下方、つまり、装着方向Ｙに並ぶように、装着方向Ｙの下流に配置されている。
【０１３７】
そして、光源９０の挿入部９４、つまり、光源９０の装着方向Ｙの上流側の端部は、図８に示すように、１対のリブ３８の左右方向の間に配置されている。これによって、挿入部９４内に収容される発光ユニット９２のレンズ部９９は、１対のリブ３８の左右方向の間に配置されている。
【０１３８】
また、ドラムフレーム１３の収容部本体３３Ａは、搬送ガイド部８９に対して前方に配置されている。これによって、排出口４５は、搬送ガイド部８９の前上方に配置される。
【０１３９】
一方、ドラムカートリッジ１１を装置本体２から離脱するには、上記の装着動作と逆の手順に操作する。具体的には、ユーザは、プロセスカートリッジ３を、本体開口６を介して前方に向かって引き出す。これによって、ドラムカートリッジ１１は、プロセスカートリッジ３として、本体開口６を介して、装置本体２から離脱される。以上によって、ドラムカートリッジ１１の装置本体２からの離脱が完了する。
【０１４０】
６．除電動作
上記の画像形成動作において、感光ドラム１４の周面には、感光ドラム１４からトナー像を用紙Ｐに転写した後に、電荷が残留する場合がある。そこで、感光ドラム１４の周面に残留する電荷を除去する除電動作について説明する。
【０１４１】
感光ドラム１４の除電動作では、光源９０の発光部９８は、図８に示すように、図示しない基板から電力が供給されることにより、感光ドラム１４を除電するための光を、出射方向Ｘに沿って出射する。すると、発光部９８からの光は、レンズ部９９を透過した後、傾斜部３６Ｂの開口部３７およびフィルム部材４９を通過し、第１部分７０の入射面７０Ａから第１部分７０内に入射する。つまり、第１部分７０は、光源９０からの光を受け入れる。
【０１４２】
第１部分７０内に入射された光は、図５Ｂに示すように、第１部分７０内を出射方向Ｘに沿って、前上方に進行し、光路変換面７２に到達する。
【０１４３】
すると、光路変換面７２は、第１部分７０内を通過した光を、光の進行方向が前上方から左方に変更されるように、略９０°反射する。これによって、第１部分７０内を通過した光は、第２部分７１に向かうように導かれる。その後、第２部分７１内を進行する光は、第２部分７１内を左方に向かって進行する。
【０１４４】
このとき、背面７８の粗面部７９は、図４に示すように、第２部分７１内を進行する光を、円弧面７５に向かって前方に反射する。そのため、粗面部７９に反射された光は、前方に向かって進行し、円弧面７５を透過した後、感光ドラム１４の周面を照射する。
【０１４５】
これによって、感光ドラム１４の周面に残存する電荷が除去される。
【０１４６】
７．作用効果
（１）光源９０は、図８に示すように、ドラムカートリッジ１１が装置本体２に装着されているときに、１対のリブ３８の間に配置されている。そのため、１対のリブ３８のそれぞれは、光源９０を左右方向の外方から覆っている。
【０１４７】
その結果、装置本体２内にトナーや紙粉などが飛散しても、トナーや紙粉などが左右方向の外方から光源９０に向かうことを抑制でき、光源９０が汚れることを低減できる。
【０１４８】
また、１対のリブ３８のそれぞれが光源９０を左右方向の外方から覆っているので、光源９０からの光が、左右方向の外方に向かって進行することを抑制でき、光源９０からの光をライトガイド１８に確実に導くことができる。
（２）光源９０は、図８に示すように、ドラムカートリッジ１１の傾斜部３６Ｂに対して、装着方向Ｙの下流に配置されており、１対のリブ３８は、ドラムカートリッジ１１のドラムフレーム１３における装着方向Ｙの下流部分に配置されている。そのため、ドラムカートリッジ１１を装置本体２に装着するときに、光源９０の挿入部９４を、１対のリブ３８の間に確実に配置することができる。そのため、光源９０が汚れることを確実に低減できる。
（３）第１部分７０は、図３および図８に示すように、後下方から見て、１対のリブ３８の間に配置されている。そのため、ドラムカートリッジ１１が装置本体２に装着され、光源９０が１対のリブ３８の間に配置されているときに、第１部分７０と光源９０との相対的な位置精度の向上を図ることができる。その結果、光源９０からの光を、ライトガイド１８の第１部分７０が確実に受け入れることができる。
（４）光を出射する発光ユニット９２のレンズ部９９が、図８に示すように、１対のリブ３８の間に配置されている。そのため、レンズ部９９が汚れることを確実に低減できながら、発光ユニット９２から出射される光が、左右方向の外方に向かって進行することを抑制でき、発光ユニット９２からの光をライトガイド１８に確実に導くことができる。
（５）１対のリブ３８は、図７Ａに示すように、ドラムフレーム１３に一体であるので、部品点数の低減を図ることができる。
（６）フィルム部材４９は、図８に示すように、ライトガイド１８の第１部分７０と、光源９０の発光部９８との間に配置され、光源９０からの光を通過させる開口部３７を塞ぐように配置されている。そのため、トナーや紙粉などが、開口部３７を介して、ドラムフレーム１３から光源９０に向かって落下することを抑制できる。
【０１４９】
一方、フィルム部材４９は光を透過するので、光源９０からの光は、開口部３７およびフィルム部材４９を通過して、ライトガイド１８に到達する。
【０１５０】
そのため、光源９０が汚れることをより一層確実に低減することができながら、光源９０からの光をライトガイド１８に到達させることができる。
（７）被覆部材８８は、図６に示すように、発光ユニット９２の光の出射方向Ｘから見て、発光ユニット９２のレンズ部９９を囲むように配置されている、また、被覆部材８８は、図８に示すように、支持フレーム９１とドラムカートリッジ１１とのそれぞれに接触して、支持フレーム９１とドラムカートリッジ１１との間を塞いでいる。
【０１５１】
つまり、光を出射する発光ユニット９２のレンズ部９９は、被覆部材８８、支持フレーム９１およびドラムカートリッジ１１により、囲まれている。そのため、装置本体２内にトナーや紙粉などが飛散しても、トナーや紙粉などが光源９０と接触することを抑制でき、光源９０ひいてはレンズ部９９が汚れることを低減できる。
【０１５２】
また、被覆部材８８が発光ユニット９２を囲っているので、発光ユニット９２からの光が、被覆部材８８外に漏れることを抑制でき、発光ユニット９２からの光をライトガイド１８に確実に導くことができる。
（８）被覆部材８８は、図８に示すように、発光ユニット９２の筒部９７よりも、出射方向Ｘの下流に突出している。そのため、被覆部材８８が、支持フレーム９１とドラムカートリッジ１１とのそれぞれに接触したときに、発光ユニット９２を確実に囲むことができる。
（９）被覆部材８８は、図６に示すように、光源９０に支持されている。そのため、被覆部材８８と発光ユニット９２との相対的な位置精度の向上を図ることができる。その結果、被覆部材８８は、出射方向Ｘから見て、レンズ部９９を確実に囲むことができる。
（１０）被覆部材８８は、図８に示すように、弾性部材であり、支持フレーム９１とドラムフレーム１３とのそれぞれに接触したときに弾性変形する。そのため、支持フレーム９１とドラムカートリッジ１１との間をより一層確実に塞ぐことができる。
（１１）光源９０は、図８に示すように、装置本体２に装着されたドラムカートリッジ１１に対して、装着方向Ｙに並ぶように配置されている。そのため、光源９０が、装置本体２に装着されたドラムカートリッジ１１に対して、左右方向に並ぶように配置される場合と比較して、プリンタ１の左右方向における小型化を図ることができる。
（１２）発光ユニット９２は、図８に示すように、前上方に向かって光を出射する。そのため、装置本体２内にトナーや紙粉などが飛散すると、それらトナーや紙粉などが、重力により、発光ユニット９２のレンズ部９９上に堆積する場合がある。この場合、発光ユニット９２から出射される光の進行が阻害されてしまう。
【０１５３】
しかし、上記の構成によれば、被覆部材８８が、発光ユニット９２の光の出射方向Ｘから見て、発光ユニット９２のレンズ部９９を囲むように配置され、かつ、支持フレーム９１とドラムフレーム１３との間を塞いでいるので、発光ユニット９２が上方に向かって光を出射する場合であっても、レンズ部９９上にトナーや紙粉などが堆積することを抑制できる。
【０１５４】
８．変形例
（１）上記の実施形態では、図６に示すように、光源９０が、被覆部材８８を支持するが、これに限定されず、図９Ａに示すように、ドラムカートリッジ１１が、被覆部材８８を支持していてもよい。
【０１５５】
例えば、被覆部材８８は、収容部底壁３６の傾斜部３６Ｂに支持される。詳しくは、被覆部材８８は、傾斜部３６Ｂの下面において、１対のリブ３８の間に配置されており、公知の両面テープなどで傾斜部３６Ｂに貼着されている。
【０１５６】
この場合、被覆部材８８は、後下方から見て矩形状を有しており、貫通口１００を有している。貫通口１００は、被覆部材８８の略中央に配置されている。貫通口１００は、後下方から見て円形状を有しており、被覆部材８８を前上方および後下方を結ぶ方向に貫通している。これによって、貫通口１００は、後下方から見て、開口部３７を露出させている。
【０１５７】
このような変形例においても、被覆部材８８は、ドラムカートリッジ１１が装置本体２に装着される状態において、傾斜部３６Ｂと支持壁９４Ａとの間に挟まれ、それらの間の隙間を塞ぐ。そのため、上記の実施形態と同様の作用効果を奏することができる。
【０１５８】
また、被覆部材８８がドラムカートリッジ１１に支持されているので、被覆部材８８とドラムカートリッジ１１との相対的な位置精度の向上を図ることができる。そのため、被覆部材８８は、ドラムカートリッジ１１と支持フレーム９１との間を確実に塞ぐことができる。
（２）上記の実施形態では、図３に示すように、ドラムフレーム１３が、１対のリブ３８を備え、光源９０が、図６に示すように、被覆部材８８を備えるが、これに限定されず、プリンタ１は、１対のリブ３８および被覆部材８８のいずれか一方のみを備えることもできる。
【０１５９】
例えば、ドラムフレーム１３が、１対のリブ３８を備えれば、光源９０は、図９Ｂに示すように、被覆部材８８を備えていなくともよい。
【０１６０】
この場合であっても、光源９０の挿入部９４は、ドラムカートリッジ１１が装置本体２に装着される状態において、１対のリブ３８の間に配置される。そのため、トナーや紙粉などが、左右方向の外方から挿入部９４内に収容される発光ユニット９２に向かうことを抑制でき、発光ユニット９２が汚れることを低減できる。
【０１６１】
なお、図示しないが、ドラムフレーム１３が、１対のリブ３８を備えずに、光源９０が、被覆部材８８を備えてもよい。
（３）上記の実施形態では、図８に示すように、被覆部材８８は、ドラムカートリッジ１１が装置本体２に装着された状態において、挿入部９４の支持壁９４Ａおよび収容部底壁３６の傾斜部３６Ｂのそれぞれと接触するが、被覆部材８８は、支持フレーム９１とドラムカートリッジ１１との間を塞げれば、特に制限されない。
【０１６２】
例えば、被覆部材８８は、ドラムカートリッジ１１が装置本体２に装着された状態において、ライトガイド１８および挿入部９４の支持壁９４Ａのそれぞれと接触することもできる。
【０１６３】
この場合、ライトガイド１８の第１部分７０は、図示しないが、第１部分７０から径方向の外方に広がる鍔部を備えている。そして、被覆部材８８は、ドラムカートリッジ１１が装置本体２に装着された状態において、第１部分７０の図示しない鍔部と、挿入部９４の支持壁９４Ａとの間に挟まれて、それらと接触する。これによっても、上記の実施形態と同様の作用効果を奏することができる。
（４）上記の実施形態では、プロセスカートリッジ３は、ドラムカートリッジ１１と、ドラムカートリッジ１１に着脱可能な現像カートリッジ１２とから構成されるが、プロセスカートリッジ３は、ドラムカートリッジ１１と現像カートリッジ１２とを一体に有していてもよい。この場合、プロセスカートリッジ３が、感光体カートリッジの一例として対応する。
【０１６４】
また、上記した感光ドラム１４に代えて、例えば、感光ベルトなどの感光体を適用することもできる。
【０１６５】
これら変形例によっても、上記の実施形態と同様の作用効果を奏することができる。なお、上記の実施形態および変形例は、適宜組み合わせることができる。
【符号の説明】
【０１６６】
１      プリンタ
２      装置本体
１１    ドラムカートリッジ
１３    ドラムフレーム
１４    感光ドラム
１８    ライトガイド
３７    開口部
３８    １対のリブ
４９    フィルム部材
７０    第１部分
８８    被覆部材
９０    光源
９１    支持フレーム
９２    発光ユニット
Ｘ      出射方向
Ｙ      装着方向
【図１】
2015194569.tif 000003
【図２】
2015194569.tif 000004
【図３】
2015194569.tif 000005
【図４】
2015194569.tif 000006
【図５】
2015194569.tif 000007
【図６】
2015194569.tif 000008
【図７】
2015194569.tif 000009
【図８】
2015194569.tif 000010
【図９】
2015194569.tif 000011